(57)【特許請求の範囲】
【請求項１】
板面全体に瓦模様が膨出形成され、左右の対向辺部に内連結部８と外連結部７とがそれぞれ突弧状に形成された金属成形瓦１と、
内連結部８の外面に配置される連結金具２と、
内連結部８と連結金具２とを同時に屋根下地３に締結固定するビス４とを含み、
金属成形瓦１には、前記瓦模様が軒棟方向へ階段状に形成されて、上下の各瓦模様の間に段壁１０が形成されており、
金属成形瓦１の裏面側には、内連結部８と接合する外連結部７の内面部分を除いて防音作用および断熱作用を発揮する裏打材５が貼り付けられており、
金属成形瓦１の内連結部８は、外連結部７の側端内面に密着する湾曲壁１５と、平坦な頂部壁１６と、外連結部７から離れる向きに傾く傾斜壁１７と、傾斜壁１７の下端に折り曲げ形成された樋溝１８とを有し、
内連結部８の傾斜壁１７と外連結部７との間に止水用の空間が確保され、傾斜壁１７に沿って染み込んだ雨水は樋溝１８に沿って軒先へ流して排出することができ、
連結金具２は、ステンレス鋼板を素材にしてプレス成形することにより、内連結部８の外面形状に沿う主壁２０と、主壁２０の左右の一側縁に主壁２０の外面側へ折り返し形成された係止片２１とを備えており、
主壁２０の平坦な頂部壁２２にビス４用の挿通穴２３を通設してあり、
係止片２１と主壁２０との間に、外連結部７の側縁７ａが差し込み係合される溝２４を形成してあり、
主壁２０の上縁２０ａは、前記段壁１０の湾曲形状に沿わせて湾曲しており、
係止片２１の上縁２１ａは直線状に切り落としてあり、
内連結部８の外面に連結金具２の主壁２０をあてがい、主壁２０の上縁２０ａが前記段壁１０に接する状態で前記挿通穴２３に挿通したビス４を屋根下地３にねじ込むことにより、連結金具２と内連結部８とを固定してあり、
連結金具２の外面に被さる新たな金属成形瓦１の外連結部７の端縁７ａを前記溝２４内に差し込み係合した状態において、係止片２１の上縁２１ａで新たな金属成形瓦１の段壁１０を受け止め係合していることを特徴とする金属成形瓦の固定構造。
【請求項２】
連結金具２の主壁２０に、主壁２０の拡開変形を阻止する補強体２７が形成されている請求項１記載の金属成形瓦の固定構造。  
【発明の詳細な説明】
【０００１】
【発明の属する技術分野】
本発明は、瓦状の浮き出し模様を縦横に連続して膨出形成してある金属成形瓦の固定構造に関する。
【０００２】
【従来の技術】
本発明に関して、金属成形瓦（以下、単に金属瓦と言う）で屋根を葺き上げることは公知である（特許文献１参照）。この種の金属瓦は、図１１に示すように、既に葺かれた金属瓦４０の側縁に、新たな金属瓦４１の一側を被せ付けたうえで、内外に重なる連結部４２・４３どうしをビス４４で締結固定している。本発明の金属瓦の固定構造においては、金属瓦とともにビスで締結固定される金具を利用して、内外に重なる金属瓦の側縁を固定するが、類似する瓦係止金具は特許文献２に公知である。但し、この瓦係止金具の固定対象は陶製瓦であって、暴風雨時などに瓦が風に煽られて位置ずれしたり、あるいは風で飛ばされて屋根下地から外れたりするのを阻止する目的で使用されている。
【０００３】
【特許文献１】
特開平１１−２１０１７１号公報（段落番号０００９、図１）
【特許文献２】
特許第２５５８６０３号公報（段落番号００１９、図３）
【０００４】
【発明が解決しようとする課題】
図１１に示す従来の固定構造では、ビス頭４５が金属瓦４１の外表面に露出するので、葺き上がった屋根の美観を損ねやすい。内外に重なる金属瓦４０・４１をビス４４で同時に締結するので、外側の金属瓦４１にあけたビス穴から雨水が屋根裏へ浸入しやすい。多くの場合、ビス４４の締結面には防水パッキン４６が組み付けられており、先のビス穴を防水パッキン４６で封止できる。しかし、防水パッキン４６は経時的に劣化するのを避けられず、施工後に長い期間を経ると漏水することがある。金属瓦４０・４１の左右両側の連結部４２・４３を内外に重ねてビス４４で締結するので、ビス４４が過剰にねじ込まれるような場合に、連結部４２・４３が拡開変形し、その変形応力を受けて左右中央の山壁が浮き上がって外観上の体裁を損ねがちである。
【０００５】
施工上にも問題がある。施工時には、屋根下地に締結した金属瓦４０の連結部４２に、新たな金属瓦４１の連結部４３を被せ付けたのち後者を位置決めしてビス４４で締結するが、ビス４４で締結する前の新たな金属瓦４１は、屋根下地の上に単に載置してあるに過ぎない。そのため、新たな金属瓦４１が自重で落下するおそれがあり、例えば屋根の傾斜が一定角度を越えるような場合に、落下を防止するための人手が不可欠になることもある。
【０００６】
本発明の目的は、隣接する金属瓦の連結部において、ビス頭が金属瓦の表面に露出するのを解消し、隣接する金属瓦の締結部からの漏水を長期にわたって確実に防止できて信頼性に優れた金属瓦の固定構造を提供することにある。
【０００７】
本発明の目的は、金属瓦とともにビスで締結される連結金具を利用して、仮組みした金属瓦のすべり落ちを阻止でき、従ってより少ない手間で能率よく金属瓦を葺き上げることができる金属瓦の固定構造を提供することにある。
【０００８】
本発明の目的は、ビスの過剰ねじ込みに伴う連結部の拡開変形を防いで山壁の浮き上がりを解消し、屋根の外観上の体裁を向上できる金属瓦の固定構造を提供することにある。
【０００９】
【課題を解決するための手段】
本発明の金属瓦の固定構造は、板面全体に瓦模様が膨出形成され、対向辺部に内連結部８と外連結部７とが形成してある金属成形瓦１と、内連結部８の外面に配置される連結金具２と、内連結部８と連結金具２とを同時に屋根下地３に締結固定するビス４とを含む。連結金具２は、内連結部８の外面形状に沿う主壁２０と、主壁２０の外面側に折り返し形成される係止片２１とを備えている。以て、連結金具２の外面に被さる外連結部７の端縁７ａを係止片２１で受け止め係合することにより、内外に隣接する内連結部８と外連結部７とが、連結金具２を介して分離不能に連結されていることを特徴とする。
【００１０】
具体的には、瓦模様は軒棟方向へ階段状に形成されて、各瓦模様の間に段壁１０が形成されており、外連結部７の端縁７ａを連結金具２の係止片２１で受け止め係合した状態において、外連結部７側の段壁１０が係止片２１で受け止め支持されている。
【００１１】
塗装鋼板で形成した金属成形瓦１は、屋根の一側から他側へ向かって順次連結されており、連結金具２は、ステンレス鋼板を素材にしてプレス成形されており、主壁２０の一側外面に、外連結部７の側縁７ａを受け止め係合する係止片２１を折り返し形成されており、外連結部７の段壁１０が、係止片２１の上縁２１ａで受け止め支持されている。
【００１２】
内連結部８の側端側には、外連結部７から離れる向きに傾く傾斜壁１７が形成されており、傾斜壁１７の側端に樋溝１８が折り曲げ形成されている。
【００１３】
連結金具２の主壁２０には、図８（ｂ）に示すごとく主壁２０の拡開変形を阻止する補強体２７を形成することができる。
【００１４】
【発明の作用効果】
本発明では、対向辺部に内連結部８と外連結部７とが形成してある金属瓦１で屋根を葺く際に、金属瓦１の内連結部８と、その外面に配置した連結金具２とをビス４で屋根下地３に締結したうえで、これら締結部の外面に新たな金属瓦１の外連結部７を被せ付け、外連結部７の端縁７ａを連結金具２に設けた係止片２１で受け止め係合することにより、内外に隣接する内連結部８と外連結部７とを分離不能に連結できるようにした。従って、本発明の固定構造によれば、ビス４の頭部を外連結部７で覆い隠して屋根の外観上の体裁を向上できる。内連結部８に形成されるビス穴を外連結部７で覆い隠して雨水の浸入を阻止し、防水機能を強化できる。外連結部７で太陽光を遮蔽してビス頭４ａやその周辺が紫外線に晒されるのを阻止できるので、ビス４に装着した防水用のパッキン２５が劣化することもなく、止水機能の信頼性を向上する。
【００１５】
外連結部７の端縁７ａを連結金具２の係止片２１で受け止め係合した仮組み状態において、外連結部７側の段壁１０を係止片２１で受け止め支持できるようにした固定構造によれば、仮組みした金属瓦１が軒側へすべり落ちるのを確実に阻止でき、しかも仮組みした金属瓦１がずれ動くことも規制できるので、以後に行われる内連結部８と連結金具２との締結作業がより少ない手間で手際よく行え、その分だけ金属瓦１による屋根の構築に要する施工の手間と時間を減少できる。
【００１６】
金属成形瓦１より厚肉のステンレス鋼板を素材にしてプレス成形した連結金具２によれば、内連結部８がビス４の締結力を受けて拡開変形しようとするのを連結金具２で受け止めて規制する。さらにビス４が過剰にねじ込まれることも抑止できるので、内連結部８が変形することに伴って山壁９が屋根下地３から浮き上り変形するのを阻止し、屋根の外観上の体裁を向上できる。連結金具２の係止片２１は、外連結部７の外面に露出して雨水に晒されるが、連結金具２をステンレス鋼板で形成するので、係止片２が錆付いたり腐蝕したりするのを確実に防止できる。主壁２０の一側外面に折り返し形成した係止片２１で、外連結部７の側縁７ａを受け止め係合するのと同時に、外連結部７の段壁１０を係止片２１の上縁２１ａで受け止め支持するようにした連結金具２によれば、仮組みした状態の金属瓦１が縦横２方向へずれ動くのを規制して、仮組み姿勢を確実に維持し、同時に位置決めできるので、以後のビス４による締結作業がさらに簡便に行える。
【００１７】
内連結部８の側端側に、外連結部７から離れる向きに傾く傾斜壁１７を形成したうえで、傾斜壁１７の側端に樋溝１８を折り曲げ形成した金属瓦１によれば、連結部分から雨水が浸入することがあっても、傾斜壁１７と外連結部７との間の空間によって止水できるうえ、傾斜壁１７に沿って染み込んだ雨水を樋溝１８に沿って軒先へ流して排出できるので、屋根裏への漏水を確実に防止できる。
【００１８】
主壁２０に拡開変形を阻止する補強体２７を形成した連結金具２によれば、主壁２０の構造強度を大にして、内連結部８が拡開変形しようとするのをさらに確実に規制して、山壁９が屋根下地３から浮き上り変形するのを解消し、屋根の外観上の体裁を向上できる。
【００１９】
【実施例】
図１ないし図７は、本発明に係る金属瓦の固定構造の実施例を示しており、塗装鋼板で形成される金属瓦１と、連結金具２と、これら両者１・２を屋根下地３に締結固定するセルフドリリング型のビス４とを要素部材にしている。図２において金属瓦１は、板面全体に瓦模様を膨出形成してあり、その裏面側に防音作用および断熱作用を同時に発揮する発泡プラスチック製の裏打材５が貼り付けてある。
【００２０】
金属瓦１の左右の対向辺部には、それぞれ突弧状の外連結部７と内連結部８とが形成されており、これらの連結部７・８と左右中央の山壁９とを滑らかに連続させて、瓦模様が横断面で波形に形成されている（図３参照）。瓦模様は軒棟方向へ階段状に形成してあり、各瓦模様の間に波形の段壁１０が形成してある。金属瓦１の上下の辺部には、上連結部１１と下連結部１２とを形成してある。
【００２１】
図５において外連結部７は、滑らかな突弧状に形成し、その頂部にビス頭との接触を避ける凹み１４が形成されている。内連結部８と接合する外連結部７の内面部分は裏打材５を省略してある。
【００２２】
内連結部８は、図５に示すごとく外連結部７の側端内面に密着する湾曲壁１５と、平坦な頂部壁１６と、斜めに傾く傾斜壁１７と、傾斜壁１７の下端に連続して形成した樋溝１８とで形成する。傾斜壁１７を設けることによって、外連結部７と傾斜壁１７との間に空間を確保して止水でき、さらに傾斜壁１７に沿って染み込んだ雨水は樋溝１８に沿って軒先へ流して排出できる。
【００２３】
図２および図３において金属瓦１は、各図に向かって左側から右側へ、さらに軒から棟側へ順に連結して屋根下地３に締結固定するが、内外に重なる内連結部８と外連結部７とを強固に連結するために連結金具２を使用する。
【００２４】
図４において連結金具２は、先の内連結部８の外面形状に沿う主壁２０と、主壁２０の左側縁に折り返し形成される係止片２１とを一体に形成したプレス金具であり、主壁２０の平坦な頂部壁２２にビス４用の挿通穴２３を通設してある。
【００２５】
係止片２１と主壁２０との間に溝２４が形成されており、この溝２４に外連結部７の側縁（端縁）７ａが差し込み係合される。そのために、図４（ｃ）に示すように溝２４の開口側の溝幅を他より大きく設定して、外連結部７の側縁７ａの差し込み係合を容易化している。
【００２６】
金属瓦１の板厚は0.５mmである。連結金具２は厚みが0.８mmのステンレス鋼板を素材にして形成してあり、充分な強度を備えている。図４（ｂ）に示すように、主壁２０の上縁２０ａは段壁１０の湾曲形状に沿わせて湾曲している。しかし、係止片２１の上縁２１ａは直線状に切り落として、溝２４に対する外連結部７の組み付け操作の簡便化を図っている。なお、連結金具２は金属瓦１と同色ないし異色の塗装鋼板で形成することができる。
【００２７】
金属瓦１の組み付け手順を説明すると、まず屋根側端に固定したスターターに金属瓦１の外連結部７を固定する。次に、図５に示すごとく内連結部８の外面に連結金具２の主壁２０をあてがい、その上縁２０ａが段壁１０に接する図４（ｂ）の状態で、挿通穴２３に挿通したビス４を屋根下地３にねじ込み、連結金具２と内連結部８とを固定する。
【００２８】
この締結作業を行うとき、ステンレス鋼板で形成した連結金具２は、内連結部８が締結力を受けて拡開変形するのを規制し、ビス４が過剰にねじ込まれるのを抑止できる。そのため、中央の山壁９が屋根下地３から異常に浮き離れるのを防いで、屋根の外観を向上できる。なお、連結金具２および内連結部８は、図２に示すように瓦模様の各段壁１０毎に締結する。
【００２９】
続いて、新たな金属瓦１の段壁１０を締結済みの金属瓦１の段壁１０に当接させて、外連結部７を締結済みの連結金具２および内連結部８の外面に横からずらせて重ね、外連結部７の側縁７ａを溝２４内に差し込み係合し、以て図７に示すように係止片２１の上縁２１ａに段壁１０を当てる。図１に示すように係止片２１で側縁７ａの外面を受け止め係合する。
【００３０】
このように、段壁１０を係止片２１の上縁２１ａで受け止め係合した状態では、金属瓦１が軒側へ滑り落ちるのを確実に防止して、金属瓦１の仮組み状態を安定した状態で維持できるので、仮組みした金属瓦１を支持しておくための要員を省くことができ、金属瓦１が動かないので以下の締結作業も迅速に行える。
【００３１】
先に説明した締結手順と同様に、内連結部８の外面に連結金具２の主壁２０をあてがい、その上縁２０ａが段壁１０に接する状態で、挿通穴２３に挿通したビス４を屋根下地３にねじ込んで、連結金具２と内連結部８とを固定する。以下は上記の手順を繰り返すことにより、屋根を葺き上げる。図６において符号２５は防水用のパッキンである。
【００３２】
連結金具２は、図８および図９に示す形態で実施してもよい。図８（ａ）においては、主壁２０の上縁２０ａおよび下縁に沿って補強用の立壁２６を折り起こし形成して、主壁２０の構造強度を増強した。このように補強用の立壁２６が設けられていると、ビス４の締結力を受けて内連結部８が拡開変形しようとするのを主壁２０で強固に受け止めることができ、ビス４の過剰なねじ込みもさらに確実に防止できる。
【００３３】
図８（ｂ）においても、同様の主旨で、主壁２０の上縁２０ａに沿って補強用のリブ２７を膨出形成したものとなっている。
【００３４】
図９（ａ）に示す連結金具２は、主壁２０の上縁２０ａに補強用の縦壁２８を設け、さらに縦壁２８の側端を折り返して係止片２１とした。この場合には、係止片２１と縦壁２８との間に形成される溝２４に、金属瓦１の段壁１０の端縁が差し込み係合され、この端縁は先の実施例で言う外連結部７の端縁７ａに相当する。
【００３５】
図９（ｂ）に示す連結金具２においては、図９（ａ）の連結金具２の構造に加えて、図４で説明した係止片２１を主壁２０の側端に設けたものとなっている。
【００３６】
図１０（ａ）・（ｂ）は、それぞれ金属瓦１の変形例を示す。図１０（ａ）では、内連結部８に連結金具２の主壁２０を収容する逃げ部３０を凹み形成して、ビス頭４ａが内連結部８の表面から突出するのを防止した。これに伴い外連結部７の凹み１４は省略した。他は先の実施例と同じであるので、図１０（ｂ）も含めて、同じ部材に同じ符号を付してその説明を省略する。
【００３７】
図１０（ｂ）においては、外連結部７にビス頭４ａを収容する逃げ部３０を膨出形成し、ビス頭４ａを膨出部３１内に収容できるようにした。
【００３８】
上記の実施例以外に、連結金具２における係止片２１は、金属瓦１の葺き上げ方向との関係でその位置と折り返し方向を設定すべきであるから、実施例で説明した構造には限定されない。例えば、主壁２０の右側縁や下縁側に係止片２１を折り返し形成することができる。連結金具２は、内連結部８の段壁１０から離れた位置で締結固定してもよく、その場合にも外連結部７の段壁１０を受け止めて仮組み状態を維持できる。ビス４としては、セルフドリリング型以外のビスを使用できる。
【図面の簡単な説明】
【図１】  金属瓦の接合構造を示す要部の縦断正面図である。
【図２】  屋根の葺き上げ要領を示す平面図である。
【図３】  金属瓦の連結手順を示す縦断正面図である。
【図４】  連結金具を示す斜視図、平面図、正面図である。
【図５】  内外の連結部の連結要領を示す分解断面図である。
【図６】  図２におけるＡ−Ａ線断面図である。
【図７】  図１におけるＢ−Ｂ線断面図である。
【図８】  連結金具に関する別実施例を示す平面図と端面図である。
【図９】  連結金具の更に異なる別実施例を示す平面図と正面図である。
【図１０】  金属瓦の別実施例を示す縦断側面図である。
【図１１】  従来の金属瓦の固定構造を示す縦断正面図である。
【符合の説明】
１  金属成型瓦
２  連結金具
７  外連結部
７ａ  外連結部の端縁
８  内連結部
１０  段壁
１７  傾斜壁
１８  樋溝
２０  連結金具の主壁
２１  連結金具の係止片
【図１】
0003647842.tif 000002
【図２】
0003647842.tif 000003
【図３】
0003647842.tif 000004
【図４】
0003647842.tif 000005
【図５】
0003647842.tif 000006
【図６】
0003647842.tif 000007
【図７】
0003647842.tif 000008
【図８】
0003647842.tif 000009
【図９】
0003647842.tif 000010
【図１０】
0003647842.tif 000011
【図１１】
0003647842.tif 000012